(57)【特許請求の範囲】
【請求項１】
被取付面に外周縁が固定されてエア吹込みにより凸状に変形されるシートと、該シートの上側に設けられかつ上記被取付面に外周縁が固定されて該シートの広がりを抑制するためのネットと、該ネットの上側に設けられかつ被取付面に端部が固定されて該ネットを固定するためのロープとを有するエアドームの固定構造であって、
被取付面に埋め込まれた埋め込み部、及びこの埋め込み部に取り付けられた固定部を有し上記ネットの外周縁を被取付面に固定するための第１固定部材と、
被取付面に埋め込まれた埋め込み部、及びこの埋め込み部に取り付けられた固定部を有し上記ロープの端部を被取付面に固定するための第２固定部材と、
上記被取付面に配置され、上記第１及び第２固定部材のそれぞれがともに連結されている共通の座金とを具備し、
上記第１及び第２固定部材は、それぞれ上記埋め込み部と固定部との間に上記共通の座金を挟むことにより当該座金に連結されていることを特徴とするエアドームの固定構造。
【請求項２】
請求項１に記載のエアドームの固定構造において、
更に、上記被取付面に埋め込まれた埋め込み部、及びこの埋め込み部に取付けられた固定部を備え前記シートの外周縁を前記被取付面に固定するための第３固定部材を有し、その第３固定部材も、上記埋め込み部と固定部との間に上記共通の座金を挟むことにより当該座金に連結されていることを特徴とするエアドームの固定構造。
【請求項３】
請求項２に記載のエアドームの固定構造において、
前記第３固定部材は、前記シートの端部を主として前記被取付面との間で挟み込む挟込部材と、前記座金からこれに繋がる挟込部材上面部分までの段差部を覆うとともに座金を覆う部分が上記被取付面に固定された押さえ部材とを有することを特徴とするエアドームの固定構造。
【請求項４】
請求項３に記載のエアドームの固定構造において、
前記押さえ部材は、挟込部材を座金に押し付ける部分を、座金を覆う部分に対し外側に配するように設けられることを特徴とするエアドームの固定構造。
【請求項５】
請求項２乃至４のいずれか１項に記載のエアドームの固定構造において、
第１固定部材の固定部がネットの外周縁を固定し、第２固定部材の固定部がロープの端部を固定し、第３固定部材の固定部がシートの外周縁を固定することを特徴とするエアドームの固定構造。
【発明の詳細な説明】
【技術分野】
【０００１】
本発明は、例えばプールの外側を覆うように設けられるエアドームの固定構造に関する。
【背景技術】
【０００２】
上述したエアドームとして、その被取付面にビニール製シートの外周縁を固定し、そのシートの下側にエアを吹き込んでシートを中央部が上方に盛り上がった凸状になし、そのシートの上にシートが水平方向に広がるのを抑制するためにネットを被せ、そのネットの外周縁も被取付面に固定し、更にそのネットを確実に固定するためにロープをネットの上に設ける構成のものが知られている。
【０００３】
また、シート、ネットおよびロープの固定はそれぞれ別々の固定部材を用いて行われ、上記ロープの固定に関しては、被取付面にアンカーを取付け、そのアンカーにロープの端部を係止することで行われる（例えば特許文献１参照）。
【特許文献１】特開昭４８−１４８９１号公報
【発明の開示】
【発明が解決しようとする課題】
【０００４】
しかしながら、上記ロープには、強風を受けることによりシートが広がるように変形することで、ネットとともに上向きに引っ張られる力が作用するため、ロープを係止しているアンカーが被取付面から抜け易くなるという難点があった。
【０００５】
本発明は、このような従来技術の課題を解決するためになされたものであり、ロープをより確実に固定し得るエアドームの固定構造を提供することを目的とする。
【課題を解決するための手段】
【０００６】
本発明のエアドームの固定構造は、被取付面に外周縁が固定されてエア吹込みにより凸状に変形されるシートと、該シートの上側に設けられかつ上記被取付面に外周縁が固定されて該シートの広がりを抑制するためのネットと、該ネットの上側に設けられかつ被取付面に端部が固定されて該ネットを固定するためのロープとを有するエアドームの固定構造であって、被取付面に埋め込まれた埋め込み部、及びこの埋め込み部に取り付けられた固定部を有し上記ネットの外周縁を被取付面に固定するための第１固定部材と、被取付面に埋め込まれた埋め込み部、及びこの埋め込み部に取り付けられた固定部を有し上記ロープの端部を被取付面に固定するための第２固定部材と、上記被取付面に配置され、上記第１及び第２固定部材のそれぞれがともに連結されている共通の座金とを具備し、上記第１及び第２固定部材は、それぞれ上記埋め込み部と固定部との間に上記共通の座金を挟むことにより当該座金に連結されていることを特徴とする。
【０００７】
請求項２のエアドームの固定構造は、請求項１に記載のエアドームの固定構造において、更に、上記被取付面に埋め込まれた埋め込み部、及びこの埋め込み部に取付けられた固定部を備え前記シートの外周縁を前記被取付面に固定するための第３固定部材を有し、その第３固定部材も、上記埋め込み部と固定部との間に上記共通の座金を挟むことにより当該座金に連結されていることを特徴とする。
【０００８】
請求項３のエアドームの固定構造は、請求項２に記載のエアドームの固定構造において、前記第３固定部材は、前記シートの端部を主として前記被取付面との間で挟み込む挟込部材と、前記座金からこれに繋がる挟込部材上面部分までの段差部を覆うとともに座金を覆う部分が上記被取付面に固定された押さえ部材とを有することを特徴とする。
【０００９】
請求項４のエアドームの固定構造は、請求項３に記載のエアドームの固定構造において、前記押さえ部材は、挟込部材を座金に押し付ける部分を、座金を覆う部分に対し外側に配するように設けられることを特徴とする。
【００１０】
請求項５のエアドームの固定構造は、請求項２乃至４のいずれか１項に記載のエアドームの固定構造において、第１固定部材の固定部がネットの外周縁を固定し、第２固定部材の固定部がロープの端部を固定し、第３固定部材の固定部がシートの外周縁を固定することを特徴とする。
【発明の効果】
【００１１】
本発明による場合には、例えば強風を受けたシートの変形を抑制するネットとロープが上向きの力を受けても、ネットを固定する第１固定部材とロープを固定する第２固定部材とが共通の座金を介して連結されているので、従来のように座金を用いることなくネットを第１固定部材によりロープを第２固定部材により個別に独立させて固定する構造の場合よりも固定状態を安定化させ得る。つまり、一方の固定部材が抜け易くなっていても、他方の抜け難い固定部材が、一方の固定部材を抜け難くするため、固定状態を安定化させ得る。
【００１２】
請求項２による場合には、第１、第２固定部材が連結された座金に、第３固定部材も連結されているので、更に固定状態を安定化させ得る。
【００１３】
請求項３による場合には、座金を覆う部分が被取付面に固定された押さえ部材により挟込部材がシート端部を主として被取付面に押し付ける。よって、シート端部に固定用の孔を設ける必要がない。
【００１４】
請求項４による場合には、例えば強風を受けてシートにエアドームの内側に移動する力が作用しても、挟込部材が押さえ部材から抜け出難くすることができる。
【００１５】
請求項５による場合には、第１〜第３固定部材の埋め込み部を被取付面に埋め込んでその上に座金を置き、その座金に対してネットの外周縁を固定するように第１固定部材の固定部を該当する埋め込み部に取付け、また、ロープの端部を固定するように第２固定部材の固定部を該当する埋め込み部に取付け、更に、シートの外周縁を固定するように第３固定部材の固定部を該当する埋め込み部に取付けることでエアドームを組み立てることが可能になる。一方、エアドームを解体するときは、各固定部材の固定部を外し、ロープとネットとシートを取り除くか、或いは加えて座金を外せばよい。よって、各固定部材の埋め込み部が被取付面の所定位置に残ることになる。このとき、請求項３のように、第３固定部材として、挟込部材によりシートの端部を被取付面との間で挟み込み、その挟込部材を押さえ部材により上から押さえる構成を採用することで、埋め込み部と固定部との位置合わせは必要であるものの、固定部材とシートとの厳格なる位置合わせを不要にすることができ、作業性を向上させ得る。
【発明を実施するための最良の形態】
【００１６】
以下に、本発明を具体的に説明する。
【００１７】
図１は本発明をプール覆い用のエアドームに適用した例を示す斜視図、図２はそのエアドームを示す断面図、図３は本発明の固定構造を示す正面図である。
【００１８】
このエアドーム１は、図１に示すように矩形状をしたプール２の周囲を取り囲むように設けられていて、内側にエアを吹き込み膨らませた状態で概略蒲鉾形状に形成されており、エアドーム１の下端３は矩形状をなしてプールサイドである被取付面４に固定されている。また、エアドーム１は、図２に示すように内側からシート５とネット６とロープ７とを有する構成であり、シート５とネット６はエアドーム１と同様の形状とされ、ロープ７は例えば図１に一点鎖線で示されるようにエアドーム１を横切るように張り巡らされる。更に、エアドーム１の側面には出入り口５０とエア吹込み用の送風機５１とが設けられている。
【００１９】
図３に示すように、シート５は、被取付面４上に外周縁５ａがシート固定部材１０により固定されていて、内側へのエア吹込みにより凸状に変形される。ネット６は、シート５の広がりを抑制するものであり、シート５の上側に設けられ、かつ被取付面４上に外周縁６ａがネット固定部材２０により固定されている。ロープ７は、ネット６を固定するためのものであり、ネット６の上側に、上述したように設けられ、かつ被取付面４上に端部７ａがロープ固定部材３０により固定されている。上記シート固定部材１０、ネット固定部材２０およびロープ固定部材３０は、被取付面４上に配置された座金４０を介して被取付面４に固定されている。
【００２０】
座金４０は、平面視で短冊状に形成されていて、エアドーム１の下端３に沿って間隔をあけ、かつ長手方向を下端３に対して交差する方向、例えば直交する方向に向けて被取付面４の凹部４ａに配置される。凹部４ａは座金４０が丁度入る開口を有し、深さは座金４０の平坦な上面４０ａが被取付面４の上面とほぼ面一になる寸法に設定されている（図３参照）。
【００２１】
シート固定部材１０は、図４および図５に示すようにエアドーム１の下端３が延びる方向Ａにほぼ平行に設けられる挟込部材１１と、挟込部材１１を上側から押さえる押さえ部材１２と、押さえ部材１２を被取付面４に固定するためのアンカーボルト１３とを有する。
【００２２】
挟込部材１１は、その外側にシート５の外周縁５ａが巻付けられ、その外周縁５ａを、面一の被取付面４または座金４０との間で挟み込むためのもので、例えばＣ形鋼が用いられ、被取付面４および座金４０との間で挟み込む面積を広くするために開口１１ａ側を上向きとし、開口１１ａとは反対側の広面１１ｂを被取付面４および座金４０に対向するように座金４０の長手方向とほぼ直交するように配置される。この挟込部材１１には、シート５の外周縁５ａが少なくとも広面１１ｂの全域を覆い、かつ挟込部材１１の外側から上方に引き出されるように巻かれる。なお、シート５の外周縁５ａは、外周縁５ａの異なる部分が挟込部材１１の上で重なる状態で、挟込部材１１に一重、二重以上で巻かれるようにしてもよく、このようにシート外周縁５ａを巻くことで、シート５が上方に引っ張られても挟込部材１１を囲い込む部分が締まって挟込部材１１に強固に巻き付く。
【００２３】
押さえ部材１２は、座金４０の上に取付けられて挟込部材１１を上から下へ押し付けるもので、挟込部材１１から座金４０の上面４０ａまでを覆う鈎形に形成されていて、座金４０の上面４０ａを覆う部分１２ａがアンカーボルト１３により被取付面４に固定されている。なお、上述したようにシート外周縁５ａを挟込部材１１に一重、二重以上で巻くと、シート５が上方に引っ張られても挟込部材１１を囲い込む部分が締まって挟込部材１１に強固に巻き付くため、押さえ部材１２により挟込部材１１を下へ押し付ける力を弱くしても、挟込部材１１と被取付面４または座金４０との間に外周縁５ａを確実に挟み込むことが可能となる。
【００２４】
アンカーボルト１３は、被取付面４に埋め込まれる埋め込み部１３ａと、この埋め込み部１３ａに座金４０に設けた取付孔４１を介して螺着等にて取付けられる固定部１３ｂとを有し、この固定部１３ｂと座金４０の上面４０ａとの間で押さえ部材１２の前記部分１２ａが挟まれることで押さえ部材１２が固定されている。
【００２５】
ネット固定部材２０は、図４および図６に示すようにネット６の外周縁６ａを固定するもので、前記方向Ａにほぼ平行に設けられる固定片、例えばＣ形鋼２１と、このＣ形鋼２１を座金４０に設けた取付孔４２を介して被取付面４に取り付けるアンカーボルト２２とを有する。Ｃ形鋼２１は、開口していない広面２１ａを、面一の被取付面４または座金４０に対向し、かつ座金４０の長手方向交差する方向、例えば直交する方向に向けて配置され、広面２１ａと座金４０との間でネット６の外周縁６ａを挟み込むもので、その外周縁６ａの編み目部分に通したアンカーボルト２２により外周縁６ａを固定する。なお、ネット６は、ネット固定部材２０の外側から上方に引き出されるようにネット固定部材２０に取付けるのが好ましい。
【００２６】
アンカーボルト２２は、被取付面４に埋め込まれる埋め込み部２２ａと、この埋め込み部２２ａに座金４０に設けた取付孔４２を介して螺着等にて取付けられる固定部２２ｂとを有する。
【００２７】
ロープ固定部材３０は、図４および図７に示すようにアンカーボルト３１の上にリング３２が溶接等により取付けられたもので、アンカーボルト３１は、被取付面４に埋め込まれる埋め込み部３１ａと、この埋め込み部３１ａに座金４０に設けた取付孔４３を介して螺着等にて取付けられる固定部３１ｂとを有する。上側のリング３２には、ロープ７の端部に連結したフック８が係止されるようになっていて、リング３２へのフック８の係止によりロープ７がロープ固定部材３０に固定される。
【００２８】
したがって、このように構成されたエアドーム１の固定構造による場合には、例えば強風を受けたシート５の変形を抑制するネット６とロープ７が上向きの力を受けても、ネット６を固定するネット固定部材２０とロープ７を固定するロープ固定部材３０とが共通の座金４０を介して連結されているので、従来のように座金を用いることなくネット６をネット固定部材２０によりロープ７をロープ固定部材３０により個別に独立させて固定する構造の場合よりも固定状態を安定化させ得る。つまり、ネット固定部材２０とロープ固定部材３０の一方が抜け易くなっていても、他方の抜け難い固定部材が、一方の固定部材を抜け難くするため、固定状態を安定化させ得ることになる。更に、本実施形態のようにネット固定部材２０とロープ固定部材３０が連結された座金４０に、シート固定部材１０も連結されているので、更に固定状態を安定化させ得る。
【００２９】
また、本実施形態においては、押さえ部材１２における座金４０の上面４０ａを覆う部分１２ａを、挟込部材１１を上から下へ押し付ける部分よりも内側に配してアンカーボルト１３により被取付面４に固定しているので、例えば強風を受けてシート５にエアドーム１の内側に移動する力が作用しても、挟込部材１１が押さえ部材１２から抜け出難くすることができる。また、押さえ部材１２により挟込部材１１を上から下へ押し付け、挟込部材１１と被取付面４または座金４０との間でシート５の外周縁５ａを固定しているので、その外周縁５ａにはアンカーボルト１３を取付けて固定するための貫通孔を設ける必要がない。
【００３０】
更に、本実施形態においては、シート固定部材１０、ネット固定部材２０およびロープ固定部材３０の各アンカーボルト１３、２２および３１の埋め込み部１３ａ、２２ａおよび３１ａを被取付面４に埋め込んでその上に座金４０を置き、その座金４０に対してネット６の外周縁６ａを固定するようにアンカーボルト２２の固定部２２ｂを該当する埋め込み部２２ａに取付け、また、ロープ７の端部７ａを固定するようにアンカーボルト３１の固定部３１ｂを該当する埋め込み部３１ａに取付け、更に、シート５の外周縁５ａを固定するようにアンカーボルト１３の固定部１３ｂを該当する埋め込み部１３ａに取付けることでエアドーム１を組み立てることが可能になる。一方、エアドーム１を解体するときは、各固定部１３ｂ、２２ｂおよび３１ｂを外し、ロープ７とネット６とシート５を取り除くか、或いは加えて座金４０を外せばよい。よって、各アンカーボルト１３、２２および３１の埋め込み部１３ａ、２２ａおよび３１ａが被取付面４の所定位置に残ることになる。このとき、挟込部材１１によりシート５の端部を被取付面４との間で挟み込み、その挟込部材１１を押さえ部材１２により上から押さえる構成を採用することで、埋め込み部１３ａと固定部１３ｂとの位置合わせは必要であるものの、シート固定部材１０とシート５との厳格なる位置合わせを不要にすることができ、作業性を向上させ得る。
【００３１】
図８は、前述した出入り口５０やエア吹込み用の送風機５１が設けられた箇所を示す正面図である。出入り口５０や送風機５１が設けられた箇所においては、枠体５２に、シート５の外周縁を固定し、その枠体５２の内側に出入り口５０や送風機５１が設けられた構成とされる。
【００３２】
この場合には、アンカーボルトの埋め込みが不可能であるので、枠体５２に対して被取付面４と同様な固定構造を採用することができない。そのため、図９に示すようにシート５の外周縁５ａに樹脂板５ｂを設けるとともに、その樹脂板５ｂに間隔をあけて取付孔５ｃを設けておき、図１０に示すようにその樹脂板５ｂを枠体５２の上に、枠体５２に設けた取付孔５２ａと取付孔５ｃとの位置を合わせて配し、更にその上に金属板、例えばアルミニウム板５３を、アルミニウム板５３に設けた取付孔５３ａと取付孔５２ａおよび５ｃとの位置を合わせて配し、枠体５２の外側から取付孔５２ａに達するようにボルト５４止め等を行う。
【００３３】
この構成とすることで、出入り口５０や送風機５１などの枠体５２を用いる箇所においてシート５を固定することが可能になる。但し、この場合には、樹脂板５ｂの取付孔５ｃを、枠体５２の取付孔５２ａおよびアルミニウム板５３の取付孔５３ａと一致させる作業を要するものの、シート５の固定を支障なく行うことが可能になる。
【００３４】
なお、上述した実施形態においてはシート固定部材の挟込部材とネット固定部材の固定片にＣ型鋼を用いているが、本発明はこれに限らない。挟込部材としては、被取付面との間でシートを挟込みができてシートを確実に固定できるような角材や板状のものでもよい。固定片としても、ネットを確実に固定することができれば、角材や板状のものでもよい。
【００３５】
また、上述した実施形態においては矩形状をしたプールを覆うために下端部（シート外周縁）が矩形状をしたエアドームを固定する構成としているが、本発明はこれに限らず、例えば円形をしたプールやグラウンドなどを覆うためのエアドームを固定する場合にも同様に適用することができる。
【図面の簡単な説明】
【００３６】
【図１】本発明をプール覆い用のエアドームに適用した例を示す斜視図である。
【図２】図１のエアドームを示す断面図である。
【図３】本発明の固定構造を示す正面図である。
【図４】図３の固定構造の一部を示す平面図である。
【図５】本発明の固定構造におけるシート固定部材の説明図（正面図）である。
【図６】本発明の固定構造におけるネット固定部材の説明図（正面図）である。
【図７】本発明の固定構造におけるロープ固定部材の説明図（正面図）である。
【図８】出入り口や送風機が設けられる箇所に配される枠体を示す図である。
【図９】図８の枠体に取付けられるシートの端部の構成を示す図である。
【図１０】図９のシート端部を枠体に取付けた状態を示す図である。
【符号の説明】
【００３７】
１    エアドーム
４    被取付面
５    シート
５ａ    外周縁
６    ネット
６ａ    外周縁
７    ロープ
７ａ    端部
１０    シート固定部材
１１    挟込部材
１２    押さえ部材
１３、２２、３１    アンカーボルト
１３ａ、２２ａ、３１ａ    埋め込み部
１３ｂ、２２ｂ、３１ｂ    固定部
２０    ネット固定部材
３０    ロープ固定部材
４０    座金
【図１】
0004823749.tif 000002
【図２】
0004823749.tif 000003
【図３】
0004823749.tif 000004
【図４】
0004823749.tif 000005
【図５】
0004823749.tif 000006
【図６】
0004823749.tif 000007
【図７】
0004823749.tif 000008
【図８】
0004823749.tif 000009
【図９】
0004823749.tif 000010
【図１０】
0004823749.tif 000011